(57)【特許請求の範囲】
【請求項１】
略矩形板状の底壁構成部と、前記底壁構成部の各側辺部からそれぞれ上方に延びる側壁部と、前記側壁部の上辺部に沿って設けられた四角枠状の上枠とを備え、
前記側壁部は、下辺部が前記底壁構成部の側辺部に対して回動可能に連結される下壁部と、上辺部が前記上枠に対して回動可能に連結されるとともに、下辺部が前記下壁部の上辺部に対して回動可能に連結される上壁部とを具備する相対する一対の第１側壁部と、上辺部が前記上枠に対して回動可能に連結される相対する一対の第２側壁部とを備え、
箱型に組立てられた組立状態から、前記第２側壁部を内側に回動変位させるとともに、前記下壁部の外面と前記上壁部の外面とを合わせるようにして前記第１側壁部を内側に折畳むことで、前記第１側壁部及び前記第２側壁部が前記底壁構成部の上方に折畳まれた折畳み状態とすることのできる折畳み容器において、
前記第２側壁部は、前記第２側壁部の厚み方向に延びる持ち手部を備え、
前記持ち手部は、前記第２側壁部の厚み方向に対して交差する方向において凸状又は凹状に形成された引掛け部を有し、
折畳み容器の内側から前記持ち手部の前記引掛け部への接触を図ることが可能に構成されており、
前記持ち手部は、前記第２側壁部の厚み方向に延びるベース部を備え、
前記引掛け部は、前記ベース部のうち折畳み容器内側の端縁又はその近傍から、前記第２側壁部の厚み方向に対して交差する方向に突出しており、
前記ベース部は、前記第２側壁部の高さ方向に延在し、前記引掛け部は、前記ベース部から前記第２側壁部の横幅方向に突出する構成であって、
前記第２側壁部は、前記ベース部及び前記引掛け部の上辺部と連結された上補強壁部と、前記ベース部及び前記引掛け部の下辺部と連結された下補強壁部とを備え、
前記上補強壁部及び前記下補強壁部は、前記第２側壁部の両側辺部又はその付近まで延在していることを特徴とする折畳み容器。
【請求項２】
前記持ち手部のうち折畳み容器内側の端縁は、前記第２側壁部の内面と面一であることを特徴とする請求項１に記載の折畳み容器。
【発明の詳細な説明】
【技術分野】
【０００１】
本発明は、物品の運搬等に使用される折畳み容器に関するものである。
【背景技術】
【０００２】
従来、略矩形板状の底壁構成部と、底壁構成部の各側辺部からそれぞれ上方に延びる側壁部と、側壁部の上辺部に沿って設けられた四角枠状の上枠とを備え、上方に開口する箱型形状に組立可能に構成されるとともに、各側壁部を底壁構成部の上方に折畳むことのできる折畳み容器が知られている。また、上枠を備えるタイプの折畳み容器の側壁部は、下辺部側が底壁構成部の側辺部に対して回動可能に連結された下壁部と、上辺部側が上枠に対して回動可能に連結されるとともに、下辺部側が下壁部の上辺部側に対して回動可能に連結された上壁部とを具備する相対する一対の第１側壁部と、上辺部側が上枠に対して回動可能に連結された相対する一対の第２側壁部とを備えている。
【０００３】
そして、箱型に組立てられた組立状態から、第２側壁部を底壁構成部の上方に跳ね上げるとともに、下壁部の外面と上壁部の外面とを合わせるようにして第１側壁部を内側に折畳むことで、第１側壁部及び第２側壁部が底壁構成部の上方に折畳まれた折畳み状態とすることができるようになっている（例えば、特許文献１等参照。）。
【先行技術文献】
【特許文献】
【０００４】
【特許文献１】実開昭５５−４４７９８号公報
【発明の概要】
【発明が解決しようとする課題】
【０００５】
ところで、一般に、折畳み容器を組立て状態から折畳み状態とする場合には、第２側壁部の外面側を内側に押圧して、一対の第２側壁部を跳ね上げた状態としなければならない。しかしながら、例えば、一対の第２側壁部間の距離が比較的大きく離れている場合には、作業者が一方の第２側壁部の外面を押圧して跳ね上げた状態を維持し、さらに、他方の第２側壁部の外面を押圧して跳ね上げるといった作業が非常に困難、又は、事実上不可能となってしまうことが懸念される。その他にも、第２側壁部の高さ（上下の幅）が比較的大きい場合や、第２側壁部が比較的重い場合にも、一対の第２側壁部を跳ね上げるといった作業が非常に困難、又は、事実上不可能となってしまうことが懸念される。
【０００６】
本発明は、上記例示した問題点等を解決するためになされたものであって、その目的は、折畳み作業性の向上を図ることができる折畳み容器を提供することにある。
【課題を解決するための手段】
【０００７】
以下、上記課題等を解決するのに適した各手段につき項分けして説明する。なお、必要に応じて対応する手段に特有の作用効果等を付記する。
【０００８】
手段１．略矩形板状の底壁構成部と、前記底壁構成部の各側辺部からそれぞれ上方に延びる側壁部と、前記側壁部の上辺部に沿って設けられた四角枠状の上枠とを備え、
前記側壁部は、下辺部が前記底壁構成部の側辺部に対して回動可能に連結される下壁部と、上辺部が前記上枠に対して回動可能に連結されるとともに、下辺部が前記下壁部の上辺部に対して回動可能に連結される上壁部とを具備する相対する一対の第１側壁部と、上辺部が前記上枠に対して回動可能に連結される相対する一対の第２側壁部とを備え、
箱型に組立てられた組立状態から、前記第２側壁部を内側に回動変位させるとともに、前記下壁部の外面と前記上壁部の外面とを合わせるようにして前記第１側壁部を内側に折畳むことで、前記第１側壁部及び前記第２側壁部が前記底壁構成部の上方に折畳まれた折畳み状態とすることのできる折畳み容器において、
前記第２側壁部は、前記第２側壁部の厚み方向に延びる持ち手部を備え、
前記持ち手部は、前記第２側壁部の厚み方向に対して交差する方向において凸状又は凹状に形成された引掛け部を有し、
折畳み容器の内側から前記持ち手部の前記引掛け部への接触を図ることが可能に構成されており、
前記持ち手部は、前記第２側壁部の厚み方向に延びるベース部を備え、
前記引掛け部は、前記ベース部のうち折畳み容器内側の端縁又はその近傍から、前記第２側壁部の厚み方向に対して交差する方向に突出しており、
前記ベース部は、前記第２側壁部の高さ方向に延在し、前記引掛け部は、前記ベース部から前記第２側壁部の横幅方向に突出する構成であって、
前記第２側壁部は、前記ベース部及び前記引掛け部の上辺部と連結された上補強壁部と、前記ベース部及び前記引掛け部の下辺部と連結された下補強壁部とを備え、
前記上補強壁部及び前記下補強壁部は、前記第２側壁部の両側辺部又はその付近まで延在していることを特徴とする折畳み容器。
【０００９】
手段１によれば、組立状態にある折畳み容器を折畳み状態とするべく、上枠から下方に延びる起立姿勢とされている一対の第２側壁部を、上枠から内側方に延びる跳ね上げ姿勢へと姿勢変化させる際に、一方の第２側壁部を跳ね上げ姿勢とした状態で、折畳み容器の内側から、当該一方の第２側壁部の持ち手部を掴み、当該一方の第２側壁部の跳ね上げ姿勢を維持することができる。このため、例えば、前記一方の第２側壁部を跳ね上げ姿勢で維持するべく、作業者が当該一方の第２側壁部の外面を支持し続けなければならない場合に比べて、他方の第２側壁部を跳ね上げ姿勢とする際に、作業者が比較的好適な姿勢で、当該他方の第２側壁部の外面を押圧して、当該他方の第２側壁部を跳ね上げ姿勢へと姿勢変化させることができる。従って、折畳み容器の折畳み作業性の向上を図ることができる。特に、前記一方の第２側壁部を跳ね上げ姿勢で維持するべく、作業者が当該一方の第２側壁部のうち下方を向いている外面を支持することで、当該一方の第２側壁部を支持している腕とは反対側の腕のひじが、前記他方の第２側壁部の上方位置にまで届かないような折畳み容器に具体化される場合には、かかる作用効果がより顕著に奏されることとなる。
【００１０】
尚、第２側壁部に対して、当該第２側壁部の厚み方向に貫通する開口部を形成することにより持ち手部を構成することも考えられるが、その場合、その周辺部の強度の低下等を招くことが懸念される。この点、手段１によれば、第２側壁部に形成される開口部を減少又はなくすことができ、第２側壁部の強度の向上等を図ることができる。さらに、かかる開口部を介して塵等が折畳み容器の内部に侵入してしまうといった事態を抑制又は防止することができる。
【００１１】
また、折畳み容器の折畳み作業の詳細については、折畳み容器の形状や作業者に応じて変化し得るものである。例えば、起立姿勢にある第２側壁部の持ち手部を握って第２側壁部を跳ね上げ姿勢へと姿勢変化させることも考えられる。また、例えば、一方の第２側壁部を完全な跳ね上げ姿勢としなくても、起立姿勢からある程度跳ね上げ姿勢側に変位させたところで、上枠から斜め下方に延びる当該一方の第２側壁部の持ち手部を保持し、他方の第２側壁部を跳ね上げ位置側に変位させることも考えられる。
【００１３】
また、手段１によれば、引掛け部が凸部によって構成されることで、指先を引掛け部に対してより引っ掛け易くすることができる。さらに、引掛け部は、ベース部のうち折畳み容器内側の端縁又はその近傍に設けられているため、引掛け部の奥側に指先を位置させるスペースを確保し易くすることができる。従って、持ち手部の持ち易さの向上を図ることができる。
【００１５】
また、手段１によれば、持ち手部の剛性を高めることができる。従って、持ち手部の変形や損傷を抑制することができ、持ち手部としての機能の安定化を図ることができる。
【００１６】
手段２．前記持ち手部のうち折畳み容器内側の端縁は、前記第２側壁部の内面と面一であることを特徴とする手段１に記載の折畳み容器。
【００１７】
手段２によれば、持ち手部が折畳み容器に収容される内容物と接触したとしても、持ち手部及び内容物の損傷等を抑制することができる。
【図面の簡単な説明】
【００１８】
【図１】組立状態にある折畳み容器を示す斜視図である。
【図２】折畳み状態にある折畳み容器を示す斜視図である。
【図３】折畳み作業の過程を示す一部断面を含む折畳み容器の斜視図である。
【図４】折畳み作業の過程を示す折畳み容器の斜視図である。
【図５】短辺側側壁部の外面側を示す斜視図である。
【図６】短辺側側壁部の内面側を示す斜視図である。
【図７】短辺側側壁部等の断面図である。
【図８】折畳み容器の一部断面を含む斜視図である。
【発明を実施するための形態】
【００１９】
以下に、一実施形態について図面を参照して説明する。図１等に示すように、折畳み容器１は、略矩形板状の底壁構成部２と、底壁構成部２の相対する一対の長辺部からそれぞれ上方に延びる第１側壁部としての長辺側側壁部３と、底壁構成部２の相対する一対の短辺部からそれぞれ上方に延びる第２側壁部としての短辺側側壁部４と、長辺側側壁部３及び短辺側側壁部４の上辺部に沿って設けられた四角枠状の上枠５とを備えている。本実施形態の底壁構成部２、長辺側側壁部３、短辺側側壁部４、及び、上枠５は、ポリプロピレンにより構成されている。
【００２０】
また、図１〜図４に示すように、本実施形態の折畳み容器１は折畳み可能に構成されている。すなわち、長辺側側壁部３は、底壁構成部２の長辺部に対して回動可能に連結される下壁部７と、上枠５の長辺部に対して回動可能に連結される上壁部８とを備え、下壁部７の上辺部と上壁部８の下辺部とが回動可能に連結されている。本実施形態では、上壁部８と下壁部７との連結部を折畳み容器１の内側に押し込むように押圧することで、上壁部８の外面と下壁部７の外面とを合わせるようにして長辺側側壁部３を折畳み可能になっている。以下、上壁部８及び下壁部７が上下に延びた長辺側側壁部３の姿勢を長辺側側壁部３の起立姿勢と称し、上壁部８及び下壁部７が折り畳まれた長辺側側壁部３の姿勢を長辺側側壁部３の折畳み姿勢と称する。
【００２１】
短辺側側壁部４は、上枠５の短辺部に対して回動可能に連結されている。本実施形態では、短辺側側壁部４を折畳み容器１の内側に押圧することで、短辺側側壁部４を略水平に延在するまで回動可能になっている。また、短辺側側壁部４の横幅は、一対の長辺側側壁部３間の距離とほぼ同じであり、折畳み容器１の組立状態では短辺側側壁部４が一対の長辺側側壁部３の間に位置している。さらに、短辺側側壁部４の上枠５に対する回転軸は、長辺側側壁部３の上枠５に対する回転軸よりも上方に位置している。
【００２２】
このため、図３、図４に示すように、組立状態にある折畳み容器１は、先ず、一対の短辺側側壁部４を折畳み容器１の内側に押圧して略水平に延在するまで回動させて（跳ね上げて）から、一対の長辺側側壁部３を折り曲げることで、底壁構成部２の上方に長辺側側壁部３及び短辺側側壁部４が折畳まれた（折重ねられた）折畳み状態とすることができるようになっている。以下、上枠５から下方に延びた短辺側側壁部４の姿勢を短辺側側壁部４の起立姿勢と称し、上枠５から内側方に向けて略水平に延在する短辺側側壁部４の姿勢を短辺側側壁部４の跳ね上げ姿勢と称する。
【００２３】
また、図３、図４に示すように、各長辺側側壁部３の下壁部７、及び、上壁部８の左右両端部には、内面から突出する断面略Ｌ字状の第１係合部１１、及び、第２係合部１２が設けられている。さらに、底壁構成部２の上面には、各短辺部に対応して、上方に突出する第３係合部１３が設けられている。第３係合部１３は複数設けられており、先端部が底壁構成部２の長手幅方向中央部側に向く縦断面略Ｌ字状のものと、底壁構成部２の上面との間に、底壁構成部２の長手方向において貫通する開口部を形成するようにして設けられたゲート状のものとがある。加えて、底壁構成部２の上面には、各短辺部に対応して、上方に突出する圧接凸部１４が設けられている。圧接凸部１４の上面は、底壁構成部２の内周側から外周側に向けて下方傾斜している。
【００２４】
これに対し、図５に示すように、短辺側側壁部４の外面側には、折畳み容器１を組立状態とした場合に、上記第１係合部１１、第２係合部１２、及び、第３係合部１３とそれぞれ係合される第１被係合部１５、第２被係合部１６、及び、第３被係合部１７が設けられている。さらに、短辺側側壁部４の下辺部には、折畳み容器１を組立状態とした場合に、圧接凸部１４に乗り上げる圧接摺動部１８が設けられている。圧接摺動部１８の下面は、短辺側側壁部４の外面側の部位が、短辺側側壁部４の外面側に向けて上方傾斜している。
【００２５】
そして、折畳み容器１を組立状態とすることで、起立姿勢とされた一対の長辺側側壁部３の間に、起立姿勢とされた一対の短辺側側壁部４が位置するとともに、第１係合部１１、第２係合部１２、及び、第３係合部１３と、第１被係合部１５、第２被係合部１６、及び、第３被係合部１７とが係合状態とされる。これにより、長辺側側壁部３の折畳み容器１内側への傾倒変位、長辺側側壁部３の折畳み容器１外側への傾倒変位、及び、短辺側側壁部４の折畳み容器１外側への傾倒変位がより確実に防止されるようになっている。さらに、圧接摺動部１８が、圧接凸部１４に乗り上げて、該圧接凸部１４と圧接されることにより、短辺側側壁部４の折畳み容器１内側への不用意な傾倒変位（跳ね上がり）が抑制されるようになっている。
【００２６】
図１、図２に示すように、上枠５は、一対の長辺側側壁部３にそれぞれ連結される一対の長辺部（長辺側枠構成部５ａ）と、一対の短辺側側壁部４にそれぞれ連結される一対の短辺部（短辺側枠構成部５ｂ）とを備え、上枠５の外寸は、底壁構成部２の外寸とほぼ等しくなっている。また、折畳み容器１の折畳み状態では、折畳まれた長辺側側壁部３と、その上方に重なる短辺側側壁部４とが上枠５の内周側に収容されるとともに、底壁構成部２と上枠５とが上下に直接当接するように構成されている（図２参照）。
【００２７】
さて、図５、図６等に示すように、各短辺側側壁部４は、起立姿勢にある一対の長辺側側壁部３間の距離とほぼ同じ横幅を有する略平板状のベース壁２１と、ベース壁２１の上辺部、下辺部、及び、両側辺部に沿って延び、ベース壁２１の外面から突出する上辺補強部２２、下辺補強部２３、及び、左右一対の側辺補強部２４とを備えている。図５に示すように、上辺補強部２２、及び、下辺補強部２３は、それぞれ短辺側側壁部４の横幅方向に延びる複数の横条リブ２６と、当該複数の横条リブ２６間を上下に連結する複数の補強リブ２７とを備えている。
【００２８】
図５、図６に示すように、各側辺補強部２４は、ベース壁２１から外方に突出するとともに、ベース壁２１の内面側に開口する断面略コ字状の縦条リブ２８と、縦条リブ２８の内側に形成される空間を、短辺側側壁部４の高さ方向において複数に隔てるようにして設けられる複数の補強リブ２９（図６参照）とを備えている。本実施形態では、当該縦条リブ２８として、ベース壁２１の各側辺部に設けられる一対の第１縦条リブ２８ａと、前記各第１縦条リブ２８ａから、それぞれ短辺側側壁部４の横幅方向中央部側に向けて、第１縦条リブ２８ａの横幅程度の距離を変位した位置に設けられる一対の第２縦条リブ２８ｂとが設けられている。また、本実施形態では、上辺補強部２２、下辺補強部２３、及び、左右一対の側辺補強部２４が、互いに連結されることで、短辺側側壁部４の外周部の剛性がより高められている（図５参照）。
【００２９】
加えて、上辺補強部２２には、上枠５に軸支される軸部３１が設けられ、下辺補強部２３には、上記第３被係合部１７、及び、圧接摺動部１８（図５参照）が設けられている。さらに、図５に示すように、各側辺補強部２４の第１縦条リブ２８ａには、上記第１被係合部１５、及び、第２被係合部１６が設けられている。
【００３０】
さて、図５〜図７に示すように、本実施形態では、ベース壁２１のうち上下幅方向中央部を含む部位には、一対の第２縦条リブ２８ｂ間の範囲において、ベース壁２１から外方に突出する縦断面略コ字状の膨出部３２が設けられている。膨出部３２は、当該膨出部３２が形成されることによって、上側の上構成部２１ａと、下側の下構成部２１ｂとに分割されたベース壁２１のうち、上構成部２１ａの下辺部から外方に延出する上補強壁部３３と、下構成部２１ｂの上辺部から外方に延出する下補強壁部３４と、上補強壁部３３及び下補強壁部３４の先端部間を連結する縦補強壁部３５とを備えている。上補強壁部３３、下補強壁部３４、及び、縦補強壁部３５は、左右一対の第２縦条リブ２８ｂに対してそれぞれ連結されている（図５参照）。
【００３１】
さらに、図６等に示すように、膨出部３２の内側において、上補強壁部３３と、下補強壁部３４と、縦補強壁部３５との間を連結する補強リブ３６が、膨出部３２の内側に形成される空間を、短辺側側壁部４の横幅方向において複数に隔てるようにして複数設けられている。特に、図８等に示すように、当該補強リブ３６のうち、短辺側側壁部４の横幅方向中央部付近に設けられる左右一対の補強リブ３６に関しては、それぞれ当該補強リブ３６の短辺側側壁部４の内面側の端縁から、短辺側側壁部４の側辺部側に突出する引掛け部３７が設けられている。これにより、作業者は、折畳み容器１の内側から、内面側持ち手部３８を掴んで、短辺側側壁部４を所定の姿勢で保持したり、回動させたりすることが可能となる。
【００３２】
本実施形態では、引掛け部３７と、引掛け部３７が形成された補強リブ３６とによって、組立状態にある折畳み容器１を折畳み状態とする際に、短辺側側壁部４の持ち手となる内面側持ち手部３８が構成されている。尚、引掛け部３７が形成された補強リブ３６が、ベース部に相当する。
【００３３】
また、一対の内面側持ち手部３８の補強リブ３６間の距離は、作業者が片手で一対の内面側持ち手部３８を挟むようにして握ることのできる程度の距離とされている。さらに、引掛け部３７は、補強リブ３６の高さ方向（長手方向）全域に形成されており、補強リブ３６とともに、上補強壁部３３（上補強壁部３３と上構成部２１ａとの境界部）、及び、下補強壁部３４（下補強壁部３４と下構成部２１ｂとの境界部）と連結されている。また、引掛け部３７のうち短辺側側壁部４の内面側の面は、ベース壁２１の内面と面一とされている。
【００３４】
そして、組立状態にある折畳み容器１を折畳み状態とする場合には、先ず、一対の短辺側側壁部４の下端部をそれぞれ内側に押圧するようにして、短辺側側壁部４の圧接摺動部１８と、底壁構成部２の圧接凸部１４との圧接状態（乗り上げた状態）を解除し、第１係合部１１、第２係合部１２、及び、第３係合部１３と、第１被係合部１５、第２被係合部１６、及び、第３被係合部１７との係合状態を解除した状態とする。
【００３５】
次に、一方の短辺側側壁部４の外面を押圧して、図３に示すように、当該一方の短辺側側壁部４を跳ね上げ姿勢とし、折畳み容器１の内側から、当該一方の短辺側側壁部４の内面側持ち手部３８を掴み、当該一方の短辺側側壁部４の跳ね上げ姿勢を維持する。尚、前記係合状態の解除された起立姿勢に近い姿勢にある一方の短辺側側壁部４の内面側持ち手部３８を掴んで、当該一方の短辺側側壁部４を跳ね上げ姿勢へと回動変位させることも可能である。
【００３６】
続いて、他方の短辺側側壁部４の外面を押圧して、当該他方の短辺側側壁部４を跳ね上げ姿勢へと変位させる。当該他方の短辺側側壁部４を跳ね上げ姿勢へと変位させた場合には、当該他方の短辺側側壁部４によって、既に跳ね上げ姿勢とされている一方の短辺側側壁部４を支持することができることから、跳ね上げ姿勢とされた他方の短辺側側壁部４の外面を支持しつつ、一方の短辺側側壁部４の内面側持ち手部３８から手を離す。
【００３７】
その後、他方の短辺側側壁部４と、上枠５とを支持しつつ、図４に示すように、上枠５を下方に変位させることで、一対の長辺側側壁部３を折り畳み姿勢へと変位させる。最終的に、図２に示すように、上枠５を、底壁構成部２に当接するまで変位させることで、折畳み容器１が折畳み状態とされる。
【００３８】
加えて、図１、図７に示すように、短辺側側壁部４の外面側には、膨出部３２、及び、下辺補強部２３の直上方位置において、ベース壁２１（上構成部２１ａ及び下構成部２１ｂ）からそれぞれ外方に突出し、所定の識別情報を有するカードを取付可能とするカード差し（下部がＬ字状に屈曲形成されている）を簡易固定することのできるカード差し固定部４１が設けられている。また、膨出部３２のうち、上補強壁部３３は、ベース壁２１に対してほぼ直交する方向に延びているのに対し、下補強壁部３４は、ベース壁２１に対して、斜め上方に延びている。すなわち、上補強壁部３３を、ベース壁２１に対してほぼ直交する方向、ひいては、短辺側側壁部４が起立姿勢にある状態では略水平方向に延ばすことにより、膨出部３２の上面側において、カード差しを上記カード差し固定部４１に好適に固定することが可能となる。その一方で、下補強壁部３４をベース壁２１に対して、斜め上方に延ばすことにより、組立状態にある折畳み容器１に物品を収容させる際に、物品が、下補強壁部３４の上面に対して引っ掛かり難くなる。
【００３９】
尚、図５に示すように、各短辺側側壁部４の外面側上部中央位置には、作業者が指先を掛けることができ、組立状態にある折畳み容器１の持ち運びを可能とする外面側持ち手部４２が設けられている。当該外面側持ち手部４２は、その全体が短辺側側壁部４の厚みの範囲内に収まるように構成されており、かかる外面側持ち手部４２によって折畳み容器１の折畳みが阻害されないようになっている。
【００４０】
さらに、図２に示すように、上枠５の短辺側枠構成部５ｂの外面側中央位置には、作業者が指先を掛けることができ、折畳み状態にある折畳み容器１の上枠５を持ち上げて折畳み容器１を組立状態に近い状態とすることができる組立用持ち手部４３が設けられている。当該組立用持ち手部４３は、短辺側枠構成部５ｂに対して外方に開口する凹部を形成し、上枠５の上辺部の下面を接触可能とすることによって構成されている。
【００４１】
そして、折畳み状態にある折畳み容器１を組立状態とする場合には、組立用持ち手部４３を掴んで上枠５を持ち上げる。これに伴い、長辺側側壁部３が起立姿勢となり、短辺側側壁部４が起立姿勢に近い姿勢となる。その後、各短辺側側壁部４の下部を内面側から外方に押圧して、短辺側側壁部４の圧接摺動部１８と、底壁構成部２の圧接凸部１４とを圧接状態とし、第１係合部１１、第２係合部１２、及び、第３係合部１３と、第１被係合部１５、第２被係合部１６、及び、第３被係合部１７とを係合状態とする。以上のようにして、折畳み容器１が組立状態とされる。
【００４２】
尚、折畳み容器１を組立状態とする場合に、短辺側側壁部４が起立姿勢に近い姿勢となった状態から、外面側持ち手部４２を掴んで短辺側側壁部４を外側に引っ張り、短辺側側壁部４を起立姿勢とすることも可能である。従って、組立作業方法の多様化を図ることができ、結果として、作業性の向上等が図られる。
【００４３】
以上詳述したように、本実施形態によれば、短辺側側壁部４には、各短辺側側壁部４の内面側略中央位置において、作業者が指先を掛けることができる内面側持ち手部３８が設けられている。このため、組立状態にある折畳み容器１を折畳み状態とするべく、起立姿勢とされている一対の短辺側側壁部４を、跳ね上げ姿勢へと姿勢変化させる際に、一方の短辺側側壁部４を跳ね上げ姿勢とした状態で、折畳み容器１の内側から、当該一方の短辺側側壁部４の内面側持ち手部３８を掴み、当該一方の短辺側側壁部４の跳ね上げ姿勢を維持することができる。このため、例えば、前記一方の短辺側側壁部４を跳ね上げ姿勢で維持するべく、作業者が当該一方の短辺側側壁部４の外面を支持し続けなければならない場合に比べて、他方の短辺側側壁部４を跳ね上げ姿勢とする際に、作業者が比較的好適な姿勢で、当該他方の短辺側側壁部４の外面を押圧して、当該他方の短辺側側壁部４を跳ね上げ姿勢へと姿勢変化させることができる。従って、折畳み容器１の折畳み作業性の向上を図ることができる。特に、前記一方の短辺側側壁部４を跳ね上げ姿勢で維持するべく、作業者が当該一方の短辺側側壁部４のうち下方を向いている外面を支持することで、当該一方の短辺側側壁部４を支持している腕とは反対側の腕のひじが、前記他方の短辺側側壁部４の上方位置にまで届かないような折畳み容器１に具体化される場合には、かかる作用効果がより顕著に奏されることとなる。
【００４４】
また、内面側持ち手部３８は、短辺側側壁部４の厚み方向に延びる補強リブ３６と、補強リブ３６のうち短辺側側壁部４内面側の端縁から、短辺側側壁部４の側辺部側へと突出する引掛け部３７とを備えている。このため、指先を内面側持ち手部３８（引掛け部３７）に対してより引っ掛け易くすることができる。さらに、引掛け部３７は、補強リブ３６のうち短辺側側壁部４内面側（折畳み容器１内側）の端縁に設けられているため、引掛け部３７の奥側に指先を位置させるスペースを確保し易くすることができる。従って、内面側持ち手部３８の持ち易さの向上を図ることができる。
【００４５】
さらに、内面側持ち手部３８（引掛け部３７は）、短辺側側壁部４の中央部近傍に設けられるとともに、短辺側側壁部４の高さ方向に沿って延在している。このため、例えば、内面側持ち手部３８が、上辺補強部２２の近傍部位に配置される場合や、横幅方向中央部から比較的大きくずれて配置される場合に比べて、跳ね上げ位置にある短辺側側壁部４を支持し易くすることができる。また、例えば、内面側持ち手部３８が、下辺補強部２３の近傍部位に配置される場合に比べ、当該内面側持ち手部３８への手の届き易さを向上させることができる。
【００４６】
加えて、例えば、短辺側側壁部４に対して、短辺側側壁部４の厚み方向に貫通する開口部を形成することにより内面側持ち手部を構成する場合に比べ、内面側持ち手部３８の周辺部の強度の低下等を防止することができるとともに、短辺側側壁部４に形成される開口部を介して塵等が折畳み容器１の内部に侵入してしまうといった事態を回避することができる。
【００４７】
また、内面側持ち手部３８の補強リブ３６及び引掛け部３７の上辺部、及び、下辺部は、膨出部３２の上補強壁部３３、及び、下補強壁部３４と連結されている。さらに、上補強壁部３３、及び、下補強壁部３４は、左右一対の側辺補強部２４（第２縦条リブ２８ｂ）と連結されるまで、短辺側側壁部４の両側辺部付近まで延在している。加えて、本実施形態では、内面側持ち手部３８の補強リブ３６は、縦補強壁部３５の内面と連結されているとともに、縦補強壁部３５は、左右一対の側辺補強部２４（第２縦条リブ２８ｂ）と連結されている。これらの構成を具備することにより、内面側持ち手部３８の剛性を飛躍的に高めることができる。従って、内面側持ち手部３８の変形や損傷を抑制することができ、内面側持ち手部３８としての機能の安定化を図ることができる。
【００４８】
さらに、内面側持ち手部３８のうち短辺側側壁部４の内面側（折畳み容器１内側）の端縁は、短辺側側壁部４のベース壁２１の内面と面一とされている。このため、内面側持ち手部３８が折畳み容器１に収容される内容物と接触したとしても、内面側持ち手部３８及び内容物の損傷等を抑制することができる。
【００４９】
尚、上記実施形態の記載内容に限定されず、例えば次のように実施してもよい。勿論、以下において例示しない他の応用例、変更例も当然可能である。
【００５０】
（ａ）上記実施形態では、一対の短辺側側壁部４の両方に内面側持ち手部３８が設けられているが、一方の短辺側側壁部４にのみ設けることも可能である。すなわち、折畳み容器１を折畳み状態とする際に、先に内面側持ち手部３８が設けられた短辺側側壁部４を跳ね上げ姿勢とすることによって、上記実施形態と同様に、折畳み易さの向上を図ることができる。但し、両方の短辺側側壁部４に設けることによって、短辺側側壁部４を跳ね上げる順番を間違えるといった事態を回避することができ、利便性の向上等を図ることができる。
【００５１】
（ｂ）また、上記実施形態では、短辺側側壁部４の全体が上枠５側に跳ね上げられ、長辺側側壁部３が折り畳まれる構成となっているが、長辺側側壁部３の全体が上枠５側に跳ね上げられ、短辺側側壁部４が折り畳まれる構成としてもよい。その場合、長辺側側壁部３に内面側持ち手部３８を設けることとする。
【００５２】
さらに、上記実施形態では、跳ね上げ姿勢とされた一対の短辺側側壁部４が上下に重なるように構成されているが、例えば、跳ね上げ姿勢とされた一対の短辺側側壁部４が上下に重ならない、或いは、下側になる短辺側側壁部４の内面側持ち手部３８が、上側になる短辺側側壁部４に重ならないように構成してもよい。この場合、一方の短辺側側壁部４を跳ね上げ姿勢で維持しつつ、他方の短辺側側壁部４の内面側持ち手部３８を掴んで跳ね上げ姿勢とすることも可能である。
【００５３】
（ｃ）上記実施形態では、内面側持ち手部３８が、短辺側側壁部４の高さ方向に延びる補強リブ３６と、補強リブ３６のうち短辺側側壁部４の内面側の端縁から側方に延びる引掛け部３７とによって構成されているが、内面側持ち手部３８の形状等については特に限定されるものではない。さらに、上記実施形態では、内面側持ち手部３８が、短辺側側壁部４の略中央位置において、一対で設けられているが、内面側持ち手部３８の数や配置等についても特に限定されるものではない。
【００５４】
例えば、短辺側側壁部４の横幅方向に延びる補強リブと、該補強リブの短辺側側壁部４内面側の端縁、又は、その近傍部位から、短辺側側壁部４の高さ方向に突出する引掛け部とによって、内面側持ち手部を構成することとしてもよい。また、例えば、補強リブ３６の側面の所定範囲に対して複数の突起を設けたり、補強リブ３６の側面に凹部又は孔部を形成したりして、該突起や凹部や孔部に指先を掛けるような構成としてもよい。さらに、例えば、内面側持ち手部が、縦補強壁部３５（図６参照）の内面から突出する一対のリブと、該リブのうち短辺側側壁部４の内面側の端部間を連結する連結部とを備えて断面略コ字状をなし、該連結部に指先を掛けるような構成としてもよい。加えて、例えば、内面側持ち手部が、縦補強壁部３５の内面から突出する筒状部と、筒状部のうち短辺側側壁部４の内面側の端部から外方に突出する拡径部とを備え、該拡径部に指先を掛けるような構成としてもよい。
【００５５】
尚、内面側持ち手部３８を利用して跳ね上げ姿勢にある短辺側側壁部４をバランス良く保持するべく、内面側持ち手部３８は、短辺側側壁部４の中央部から若干下方に変位した位置に極力近付けて設けることが望ましい。また、内面側持ち手部３８の剛性を高めるべく、内面側持ち手部３８は、縦補強壁部３５に連結されるだけでなく、上補強壁部３３や下補強壁部３４等の複数の壁部に対して連結されることが望ましい。加えて、短辺側側壁部４とは別体として形成された内面側持ち手部を短辺側側壁部４に取付ける（固定する、又は、回動自在に取付ける）ように構成することも可能であるが、製造作業性の向上等を図るべく、短辺側側壁部４と一体的に形成されることが望ましい。
【００５６】
（ｄ）上記実施形態では、上補強壁部３３及び下補強壁部３４が、一対の側辺補強部２４（第２縦条リブ２８ｂ）と連結されるまで延在しているが、特にかかる構成に限定されるものではない。例えば、側辺補強部２４と連結されていなくてもよいし、側辺補強部２４が省略された短辺側側壁部４に具体化することも可能である。尚、短辺側側壁部４は、その中央部に比べて、外周部位の方が変形し難く構成されていることから、上補強壁部３３及び下補強壁部３４が、短辺側側壁部４の側辺部付近にまで延在することにより、上補強壁部３３及び下補強壁部３４の剛性を高めることができる。
【００５７】
（ｅ）上記実施形態の外面側持ち手部４２に代えて、又は、加えて、短辺側側壁部４の外面側に対し、例えば、短辺側側壁部４の中央部付近（例えば、膨出部３２やベース壁２１の下構成部２１ｂ）において、作業者が指先を掛けることができる起立用持ち手部を設けることとしてもよい。この場合、折畳み容器１を組立状態とする場合に、短辺側側壁部４が起立姿勢に近い姿勢となった状態から、起立用持ち手部を掴んで短辺側側壁部４を外側に引っ張り、短辺側側壁部４を起立姿勢とすることも可能となる。従って、組立作業方法の多様化を図ることができ、結果として、作業性の向上等が図ることができる。
【００５８】
（ｆ）上記実施形態では、折畳み容器１はポリプロピレンにより構成されているが、ポリエチレン、ＰＥＴ、ポリアミド等その他の樹脂材料により構成されることとしてもよい。
【符号の説明】
【００５９】
１…折畳み容器、２…底壁構成部、３…長辺側側壁部、４…短辺側側壁部、５…上枠、７…下壁部、８…上壁部、２１…ベース壁、２４…側辺補強部、３２…膨出部、３３…上補強壁部、３４…下補強壁部、３６…補強リブ、３７…引掛け部、３８…内面側持ち手部。
【図１】
0006449109.tif 000002
【図２】
0006449109.tif 000003
【図３】
0006449109.tif 000004
【図４】
0006449109.tif 000005
【図５】
0006449109.tif 000006
【図６】
0006449109.tif 000007
【図７】
0006449109.tif 000008
【図８】
0006449109.tif 000009